(57)【要約】  プロセスストリーム(22)から酸性成分を吸収するためのシステム(10)であって、該システムは、酸性成分を含んでなるプロセスストリーム(22)；プロセスストリーム(22)から酸性成分の少なくとも一部を吸収する吸収剤溶液であって、アミン化合物又はアンモニアを含んでなる吸収剤溶液；内部部分(20a)を含んでなる吸収器(20)であって、吸収器の内部部分において、吸収剤溶液がプロセスストリーム(22)と接触する吸収器；及びプロセスストリーム(22)から酸性成分の少なくとも一部を吸収するための触媒(27)であって、吸収器(20)の内部部分(20a)の区域、吸収剤溶液、又はその組み合わせの少なくとも１つに存在する触媒を含んでなる。
2011506080.tif 000002
【特許請求の範囲】
【請求項１】
プロセスストリームから酸性成分を吸収するためのシステムであって、該システムは、
酸性成分を含んでなるプロセスストリーム；
前記プロセスストリームから酸性成分の少なくとも一部を吸収する吸収剤溶液であって、アミン化合物又はアンモニアを含んでなる吸収剤溶液；
内部部分を含んでなる吸収器であって、吸収器の内部部分において、前記吸収剤溶液が前記プロセスストリームと接触する吸収器；及び
前記プロセスストリームから酸性成分の少なくとも一部を吸収するための触媒であって、前記吸収器の内部部分の区域、前記吸収剤溶液又はその組み合わせの少なくとも１つに存在する触媒
を含んでなる、システム。
【請求項２】
プロセスストリームが、化石燃料の燃焼によって発生された煙道ガスストリームである、請求項１記載のシステム。
【請求項３】
酸性成分が二酸化炭素である、請求項１記載のシステム。
【請求項４】
吸収剤溶液がアミン化合物を含んでなり、前記アミン化合物が、モノエタノールアミン（MEA）、ジエタノールアミン（DEA）、ジイソプロパノールアミン（DIPA）、Ｎ-メチルエタノールアミン、トリエタノールアミン（TEA）、Ｎ-メチルジエタノールアミン（MDEA）、ピペラジン、Ｎ-メチルピペラジン（MP）、Ｎ-ヒドロキシエチルピペラジン（HEP）、２-アミノ-２-メチル-１-プロパノール（AMP）、２-(２-アミノエトキシ)エタノール、２-(２-tert-ブチルアミノプロポキシ)エタノール、２-(２-tert-ブチルアミノエトキシ)エタノール（TBEE）、２-(２-tert-アミルアミノエトキシ)エタノール、２-(２-イソプロピルアミノプロポキシ)エタノール、２-(２-(１-メチル-１-エチルプロピルアミノ)エトキ)シエタノールからなる群から選ばれるものである、請求項１記載のシステム。
【請求項５】
吸収剤溶液がアンモニアを含んでなるものである、請求項１記載のシステム。
【請求項６】
触媒が、ゼオライト系触媒、遷移金属系触媒、炭酸アンヒドラーゼ又はその組み合わせから選ばれるものである、請求項１記載のシステム。
【請求項７】
触媒が炭酸アンヒドラーゼである、請求項１記載のシステム。
【請求項８】
触媒を１以上の酵素と組み合わせて使用し、前記酵素が、α、β、γ、δ及びεクラスの炭酸アンヒドラーゼ、サイトゾル炭酸アンヒドラーゼ、CA2、CA3、ミトコンドリア炭酸アンヒドラーゼ、及びその組み合わせから選ばれるものである、請求項１記載のシステム。
【請求項９】
触媒が吸収剤溶液に存在しており、前記触媒が０.５−５０mg/Lの濃度で存在する、請求項１記載のシステム。
【請求項１０】
触媒が２−１５mg/Lの濃度で存在する、請求項９記載のシステム。
【請求項１１】
触媒が吸収器の内部部分の少なくとも１区域に存在しており、触媒が０.５−２０ピコモル/cm2の密度を有する、請求項１記載のシステム。
【請求項１２】
触媒の密度が０.５−１０ピコモル/cm2である、請求項１１記載のシステム。
【請求項１３】
さらに、吸収器に流動的に結合された再生器を含んでなり、前記再生器が、吸収器によって生成されたリッチ吸収剤溶液を受け取るために内部部分を有するものである、請求項１記載のシステム。
【請求項１４】
さらに、再生器の内部部分の少なくとも１区域に存在する第２の触媒を含んでなる、請求項１３記載のシステム。
【請求項１５】
さらに、リッチ吸収剤溶液に存在する第２の触媒を含んでなる、請求項１３記載のシステム。
【請求項１６】
さらに、再生器に流動的に結合されたリボイラーを含んでなる、請求項１３記載のシステム。
【請求項１７】
さらに、吸収器に流動的に結合された少なくとも１個の熱交換器を含んでなり、前記熱交換器は熱をリボイラーに移動させる、請求項１６記載のシステム。
【請求項１８】
再生器が圧縮システムに流動的に結合されており、前記圧縮システムはリボイラーに流動的に結合されており、前記圧縮システムからの熱をリボイラーに移動させる、請求項１６記載のシステム。
【請求項１９】
プロセスストリームから酸性成分を吸収するためのシステムであって、該システムは、リッチ吸収剤溶液を再生してリーン吸収剤溶液を形成するように設定された再生システムを含んでなり、ここで、再生システムは、
内部部分を有する再生器；
リッチ吸収剤溶液を前記内部部分に供給するための入口；
前記再生器に流動的に結合されたリボイラーであって、前記リッチ吸収剤溶液を再生するために前記再生器にスチームを提供するリボイラー；及び
前記リッチ吸収剤溶液中に存在する酸性成分の少なくとも一部を吸収する触媒であって、前記再生器の内部部分の区域、前記リッチ吸収剤溶液又はその組み合わせの少なくとも１つに存在する触媒
を含んでなる、システム。
【請求項２０】
触媒が炭酸アンヒドラーゼである、請求項１９記載のシステム。
【請求項２１】
触媒が再生器の内部部分の少なくとも１区域に存在しており、前記触媒が０.５−２０ピコモル/cm2の密度を有する、請求項１９記載のシステム。
【請求項２２】
触媒の密度が０.５−１０ピコモル/cm2である、請求項２１記載のシステム。
【請求項２３】
触媒が吸収剤溶液に存在しており、前記触媒が０.５−５０mg/Lの濃度で存在する、請求項１９記載のシステム。
【請求項２４】
触媒が２−１５mg/Lの濃度で存在する、請求項２３記載のシステム。
【請求項２５】
プロセスストリームから二酸化炭素を吸収する方法であって、該方法は、
二酸化炭素を含んでなるプロセスストリームを吸収器に供給し、ここで、前記吸収器は内部部分を含んでなり；
吸収剤溶液を前記吸収器に供給し、ここで、前記吸収剤溶液は、アミン化合物、アンモニア、又はその組み合わせを含んでなり；
触媒を、前記吸収器の内部部分の区域、前記吸収剤溶液又はその組み合わせの少なくとも１つに供給し；及び
前記プロセスストリームを、前記吸収剤溶液及び前記触媒と接触させ、これによって、前記プロセスストリームから二酸化炭素の少なくとも一部を吸収し、リッチ吸収剤溶液を生成する
ことを含んでなる、方法。
【請求項２６】
吸収剤溶液が、モノエタノールアミン（MEA）、ジエタノールアミン（DEA）、ジイソプロパノールアミン（DIPA）、Ｎ-メチルエタノールアミン、トリエタノールアミン（TEA）、Ｎ-メチルジエタノールアミン（MDEA）、ピペラジン、Ｎ-メチルピペラジン（MP）、Ｎ-ヒドロキシエチルピペラジン（HEP）、２-アミノ-２-メチル-１-プロパノール（AMP）、２-(２-アミノエトキシ)エタノール、２-(２-tert-ブチルアミノプロポキシ)エタノール、２-(２-tert-ブチルアミノエトキシ)エタノール（TBEE）、２-(２-tert-アミルアミノエトキシ)エタノール、２-(２-イソプロピルアミノプロポキシ)エタノール、２-(２-(１-メチル-１-エチルプロピルアミノ)エトキ)シエタノールからなる群から選ばれるアミン化合物を含んでなるものである、請求項２５記載の方法。
【請求項２７】
触媒が炭酸アンヒドラーゼである、請求項２５記載の方法。
【請求項２８】
さらに、リッチ吸収剤溶液を、吸収器に流動的に結合された再生器に提供することを含んでなり、前記再生器が内部部分を有するものである、請求項２５記載の方法。
【請求項２９】
さらに、第２の触媒を、再生器の内部部分の少なくとも１つの区域に供給することを含んでなる、請求項２８記載の方法。
【請求項３０】
さらに、第２の触媒をリッチ吸収剤溶液に供給することを含んでなる、請求項２８記載の方法。
【発明の詳細な説明】
【技術分野】
【０００１】
本願は、2007年１２月１３日出願の米国仮出願第61/013,384号の優先権を主張するものであり、その記載のすべてを参照することにより本書に含める。
【０００２】
本発明は、プロセスストリームから酸性成分を吸収するためのシステム及び方法に係る。さらに詳しくは、本発明は、プロセスストリームから二酸化炭素を吸収するためのシステム及び方法に係る。
【背景技術】
【０００３】
石炭燃焼炉からの排気ストリームのようなプロセスストリームは、しばしば、環境への導入前にプロセスストリームから除去されなければならない各種の成分を含有している。例えば、排気ストリームは、しばしば、排気ストリームを環境に排出する前に除去又は低減されなければならない二酸化炭素（CO2）及び硫化水素（H2S）のような酸性成分を含有する。
【０００４】
多くのタイプのプロセスストリームにおいて認められる酸性成分の１例は二酸化炭素である。二酸化炭素（CO2）は多くの用途を有する。例えば、二酸化炭素は、飲料を炭酸化するため、魚介、肉類、鶏肉、ビスケット類、果物及び野菜を冷却、冷凍及び包装するために、及び乳製品の品質保証期間を延長するために使用される。他の用途としては、飲料水の処理、農薬としての用途、及び温室における空気添加剤があるが、これらに限定されない。最近では、二酸化炭素は、原油の二次回収（非常に高圧の二酸化炭素が多量に利用される）用の貴重な化学剤として認められている。
【０００５】
二酸化炭素を得る方法の１つは、排気ストリーム（例えば、煙道ガスストリーム）のようなプロセスストリーム（二酸化炭素は、有機又は無機化学プロセスの副生物である）を精製することである。一般的には、高濃度の二酸化炭素を含有するプロセスストリームを、多段階で凝縮、精製し、ついで、蒸留して、プロダクトグレードの二酸化炭素を生成する。
【発明の概要】
【発明が解決しようとする課題】
【０００６】
上記用途に適する二酸化炭素（「プロダクトグレード二酸化炭素」として知られている）の量を増大させたいとの要望と共に、プロセスガスストリームを環境へ放出するに当たり、環境に放出される二酸化炭素の量を低減したいとの要望により、プロセスガスストリームから除去される二酸化炭素の量を増大させたいとの要求が増幅されている。処理プラントについては、放出されるプロセスガス中に存在する二酸化炭素の量又は濃度を低減させたいと要求が増大しつつある。同時に、処理プラントについては、時間、エネルギー及び費用のような資源を節約したいとの要求も増大している。本発明では、処理プラントに求められる多数の要求の１以上を、処理プラントから回収される二酸化炭素の量を増大させ、同時に、プロセスガスから二酸化炭素を除去するために必要なエネルギー量を低減させることによって緩和できる。本発明によれば、処理プラントから回収される二酸化炭素の量を増大させると共に、同時に、プロセスガスから二酸化炭素を除去するために必要なエネルギー量を低減することによって、処理プラントに関する多数の要求の１以上を緩和できる。
【課題を解決するための手段】
【０００７】
ここに記載する態様によれば、プロセスストリームから酸性成分を吸収するためのシステムであって、該システムは、酸性成分を含んでなるプロセスストリーム；前記プロセスストリームから酸性成分の少なくとも一部を吸収する吸収剤溶液であって、アミン化合物又はアンモニアを含んでなる吸収剤溶液；内部部分を含んでなる吸収器であって、吸収器の内部部分において、前記吸収剤溶液が前記プロセスストリームと接触する吸収器；及び前記プロセスストリームから酸性成分の少なくとも一部を吸収するための触媒であって、前記吸収器の内部部分の区域、前記吸収剤溶液又はその組み合わせの少なくとも１つに存在する触媒を含んでなるシステムが提供される。
【０００８】
ここに記載する他の態様によれば、プロセスストリームから酸性成分を吸収するためのシステムであって、該システムは、リッチ吸収剤溶液を再生してリーン吸収剤溶液を形成するように設定された再生システムを含んでなり、前記再生システムは、内部部分を有する再生器；リッチ吸収剤溶液を前記内部部分に供給するための入口；前記再生器に流動的に結合されたリボイラーであって、前記リッチ吸収剤溶液を再生するために前記再生器にスチームを提供するリボイラー；及び前記リッチ吸収剤溶液中に存在する酸性成分の少なくとも一部を吸収する触媒であって、前記再生器の内部部分の区域、前記リッチ吸収剤溶液又はその組み合わせの少なくとも１つに存在する触媒を含んでなるシステムが提供される。
【０００９】
ここに記載する態様によれば、プロセスストリームから二酸化炭素を吸収する方法であって、該方法は、二酸化炭素を含んでなるプロセスストリームを吸収器に供給し、ここで、前記吸収器は内部部分を含んでなり；吸収剤溶液を前記吸収器に供給し、ここで、前記吸収剤溶液は、アミン化合物、アンモニア、又はその組み合わせを含んでなり；触媒を、前記吸収器の内部部分の区域、前記吸収剤溶液又はその組み合わせの少なくとも１つに供給し；及び前記プロセスストリームを、前記吸収剤溶液及び前記触媒と接触させ、これによって、前記プロセスストリームから二酸化炭素の少なくとも一部を吸収し、リッチ吸収剤溶液を生成することを含んでなる方法が提供される。
【００１０】
上述の及び他の特長は、図面及び詳細な説明によって例示される。
【図面の簡単な説明】
【００１１】
【図１】プロセスストリームから酸性成分を吸収し、これによって、除去するシステムの１具体例を示す概略図である。
【図２】プロセスストリームから酸性成分を吸収し、これによって、除去するシステムの他の具体例を示す概略図である。
【図２Ａ】プロセスストリームから酸性成分を吸収し、これによって、除去するシステムの他の具体例を示す概略図である。
【図３】リッチ吸収剤溶液を再生するシステムの１具体例を示す概略図である。
【図３Ａ】リッチ吸収剤溶液を再生するシステムの他の具体例を示す概略図である。
【発明を実施するための形態】
【００１２】
図１は、プロセスストリームから酸性成分を吸収すること（これによって、酸性成分が低減されたストリーム及びリッチ吸収剤溶液が形成される）によって生成されたリッチ吸収剤溶液を再生するためのシステム10を示す。
【００１３】
システム10は吸収器20を包含しており、この吸収器は、プロセスストリーム22を受け取り、吸収器20内で行われるプロセスストリーム22と吸収剤溶液との相互作用を容易なものとする内部部分20aを有する。図１に示すように、プロセスストリーム22は、例えば、吸収器20の中央位置Ａに配置されたプロセスストリーム入口24を介して、吸収器20に入り、吸収器20と通って移動する。しかし、プロセスストリーム22は、プロセスストリーム22からの酸性成分の吸収を可能にするいずれの位置においても吸収器20に入ることができ、例えば、プロセスストリーム入口24は吸収器20のいずれの位置にも配置されるものである。中央位置Ａは、吸収器20を下方区域21a及び上方区域21bに分割する。
【００１４】
プロセスストリーム22は、天然ガスストリーム、合成ガスストリーム、精油所ガス又は蒸気ストリーム、油層のアウトプット、又は石炭、天然ガス又は他の燃料のような物質の燃焼によって発生されたストリームのような各種の液ストリーム又はガスストリームである。プロセスストリーム22の１例は、化石燃料のような燃料の燃焼を源として発生した煙道ガスストリームである。燃料の例としては、合成ガス、精油所ガス、天然ガス、石炭等であるが、これらに限定されない。プロセスストリーム22の源又はタイプに応じて、酸性成分はガス状、液状又は粒状である。
【００１５】
プロセスストリーム22は、粒状物質、酸素、水蒸気、及び酸性成分を含む各種の成分を含有する（これらに限定されない）。１具体例では、プロセスストリーム22は、二酸化炭素を含む（これに限定されない）いくつかの酸性成分を含有する。プロセスストリーム22が吸収器20に入ると、プロセスストリームは、酸化イオウ（SOx）及び酸化窒素（NOx）と共に、粒状物質を除去するように処理される。しかし、方法はシステム毎に異なり、従って、このような処理は、プロセスストリーム22が吸収器20を通過した後に又は通過することなく行われる。
【００１６】
１具体例では、プロセスストリーム22は、熱交換器23（熱をプロセスストリーム22から熱移動流体60に移動させることによってプロセスストリームの冷却を容易なものとする）を通過する。熱移動流体60はシステム10の他の区域に移動され、ここで、システムの効率を改善するために熱が利用される（後述する）。
【００１７】
１具体例では、熱交換器23において、プロセスストリーム22は、例えば、約149−204℃の範囲の温度から、例えば、３８−149℃の温度に冷却される。他の具体例では、熱交換器23において、プロセスストリーム22は、例えば、149−204℃の範囲の温度から、例えば、３８−６６℃の温度に冷却される。１具体例では、熱交換器23を通過した後、プロセスストリーム22中に存在する酸性成分の濃度は約１−２０モル％であり、プロセスストリーム中に存在する水蒸気の濃度は約１−５０モル％である。
【００１８】
吸収器20は、プロセスストリーム22からの酸性成分の吸収及び除去を容易なものとする吸収剤溶液を使用する。１例では、吸収剤溶液は化学溶媒及び水を含んでなり、化学溶媒としては、例えば、窒素系溶媒（例えば、アミン化合物及び特に１級、２級及び３級のアルカノールアミン；１級及び２級アミン；立体障害アミン；重度の立体障害をもつ２級アミノエーテルアルコール）が含まれる。一般的に使用される化学溶媒の例としては、モノエタノールアミン（MEA）、ジエタノールアミン（DEA）、ジイソプロパノールアミン（DIPA）、Ｎ-メチルエタノールアミン、トリエタノールアミン（TEA）、Ｎ-メチルジエタノールアミン（MDEA）、ピペラジン、Ｎ-メチルピペラジン（MP）、Ｎ-ヒドロキシエチルピペラジン（HEP）、２-アミノ-２-メチル-１-プロパノール（AMP）、２-(２-アミノエトキシ)エタノール（ジエチレングリコールアミン又はDEGAとも呼ばれる）、２-(２-tert-ブチルアミノプロポキシ)エタノール、２-(２-tert-ブチルアミノエトキシ)エタノール（TBEE）、２-(２-tert-アミルアミノエトキシ)エタノール、２-(２-イソプロピルアミノプロポキシ)エタノール、２-(２-(１-メチル-１-エチルプロピルアミノ)エトキ)シエタノール等がある（これらに限定されない）。上記溶媒は、単独で又は組み合わせて、及び他の助溶媒、添加剤（例えば、消泡剤、緩衝剤、金属塩等、又は腐食防止剤）と共に又は使用することなく、使用される。腐食防止剤の例としては、チオモルホリン、ジチアン及びチオキサン（チオモルホリン、ジチアン及びチオキサンの炭素は、独立して、Ｈ、Ｃ1-8アルキル、Ｃ7-12アルカリル、Ｃ6-10アリール及び／又はＣ3-10シクロアルキル置換基を有する）からなる群から選ばれる複素環化合物；チオ尿素‐アミン‐ホルムアルデヒドポリマー及び銅(II)塩と組み合わせて使用されるポリマー；＋４又は５価のバナジウムを含有するアニオン；及び他の公知の腐食防止剤がある（これらに限定されない）。
【００１９】
他の具体例では、吸収剤溶液はアンモニアを含む。例えば、吸収剤溶液は、アンモニア、水、及び吸収剤溶液の総質量基準で０−５０質量％の濃度範囲のアンモニウム／炭酸塩系の塩を含むことができ、アンモニア濃度は、吸収剤溶液の総質量基準で１−５０質量％の範囲で変動する。
【００２０】
１具体例では、吸収器20に存在する吸収剤溶液は、「リーン」吸収剤溶液及び／又は「セミ−リーン」吸収剤溶液と呼ばれる。リーン及びセミ−リーン吸収剤溶液は、プロセスストリーム22から酸性成分を吸収でき、例えば、吸収剤溶液は、必ずしも全てが飽和されてはいない、又はフル吸収能力ではないものである。ここに記載するように、リーン吸収剤溶液は、セミ−リーン吸収剤溶液よりも大きい酸性成分吸収能力を有する。後述する１具体例では、リーン及び／又はセミ−リーン吸収剤溶液はシステム10によって提供される。１具体例では、システムにより提供されるリーン及び／又はセミ−リーン吸収剤溶液36を補足するために、補充吸収剤溶液25が提供される。
【００２１】
プロセスストリーム22からの酸性成分の吸収は、吸収剤溶液とプロセスストリーム22との相互作用（接触）によって起こる。プロセスストリームと吸収剤溶液との間の相互作用は、吸収器20において、各種の様式で行われる。例えば、１具体例では、プロセスストリーム22はプロセスストリーム入口24を介して吸収器20に入り、吸収器の全長を上方に移動し、一方、吸収剤溶液は、プロセスストリーム22が入った位置よりも上方の位置で吸収器20に入り、プロセスストリーム22と向流方向で流下する。
【００２２】
吸収器20におけるプロセスストリーム22と吸収剤溶液との間の相互作用によって、補充吸収剤溶液25及びリーン及び／又はセミ−リーン吸収剤溶液36のいずれか又は両方からリッチ吸収剤溶液及びプロセスストリーム22が生成される。相互作用後、プロセスストリーム22は酸性成分の量が低減されており、リッチ吸収剤溶液26は、プロセスストリームから吸収された酸性成分で飽和されている。１具体例では、リッチ吸収剤溶液26は二酸化炭素によって飽和されている。
【００２３】
１具体例では、システム10は触媒27を包含する。プロセスストリーム22中に存在する酸性成分は触媒27によって吸収される。触媒の例としては、無水炭酸及び例えば、ゼオライト系触媒及び遷移金属系触媒（パラジウム、白金、ルテニウム）のような無機物質系触媒があるが、これらに限定されない。遷移金属系触媒及びゼオライト系触媒を、無水炭酸と組み合わせて使用できる。
【００２４】
触媒27を１以上の酵素（図示していない）と組み合わせても使用できる。酵素としては、α、β、γ、δ及びεクラスの炭酸アンヒドラーゼ、サイトゾル炭酸アンヒドラーゼ（例えば、CA1、CA2、CA3、CA7及びCA13）、及びミトコンドリア炭酸アンヒドラーゼ（例えば、CA5A及びCA5B）があるが、これらに限定されない。
【００２５】
１具体例では、触媒27は、吸収器20の内部部分20aの少なくとも１区域内、吸収器20に供給される吸収剤溶液（例えば、吸収器20に提供されるリーン及び／又はセミ−リーン吸収剤溶液36及び／又は補充吸収剤溶液25）中、又はそれらの組み合わせに存在する。
【００２６】
１例では、触媒27は吸収器20に供給される吸収剤溶液中に存在する。図２に示すように、触媒27は、吸収器20でのCO2吸収以前に吸収剤溶液（例えば、アミン溶液）に添加される。例えば、図２では、触媒27は、補充吸収剤溶液25を、触媒容器29を通過させることによって、補充吸収剤溶液25に供給されている。しかし、リーン及び／又はセミ−リーン吸収剤溶液36を触媒容器29に供給することもできる。また、吸収器20の内部部分20aに導入する前に、補充吸収剤溶液25及びリーン及び／又はセミ−リーン吸収剤溶液36を触媒容器29に供給することもできる。
【００２７】
触媒容器29は、触媒と共に、吸収剤溶液を受け取り、吸収剤溶液への触媒の配合を容易なものとする各種の容器である。触媒27の補充吸収剤溶液25又はリーン及び／又はセミ−リーン吸収剤溶液36への配合は、例えば、空気スパージャー、オーガー又は他の回転装置等の使用を含む各種の様式で行われる。
【００２８】
さらに図２を参照すれば、触媒27を補充吸収剤溶液25に配合した後、触媒含有吸収剤溶液31が形成される。１具体例では、触媒27は、例えば、約０.５−５０mg/Lの範囲の濃度で、補充吸収剤溶液25中に存在する。他の具体例では、触媒27は、例えば、約２−１５mg/Lの範囲の濃度、例えば、約０.１−５lb/lbの液／ガス（L/G）比で、補充吸収剤溶液25中に存在する。
【００２９】
１具体例では、触媒含有吸収剤溶液31は、入口31aを介して、吸収器20の内部部分20aに供給される。図２では、入口31aが、吸収器20の上方部分21b内で、プロセスストリーム入口24の上方に位置するよう示されているが、入口31aは吸収器20のいずれの位置にも配置されるものである。触媒含有吸収剤溶液31が吸収器20の内部部分20aに供給されると、吸収剤溶液はプロセスストリーム22と作用し、プロセスストリーム22中に存在する酸性成分が、触媒含有吸収剤溶液31中に存在するアミン系化合物又はアンモニアと共に、触媒によって吸収される。プロセスストリーム22と触媒含有吸収剤溶液31との間の相互作用の後、リッチ吸収剤溶液が生成され、触媒を含有するリッチ吸収剤溶液26として吸収器20から排出される。
【００３０】
なお図２を参照すると、他の具体例では、入口31aを介して、触媒含有吸収剤溶液31を吸収器20の内部部分20aに供給している。触媒含有吸収剤溶液31の内部部分20aへの導入時、触媒27は、吸収器20の内部部分20a内に配置した充填カラム21cに不動化される。充填カラムにおける基剤（図示していない）の存在によって、触媒が充填カラムに不動化される。基材は有機又は無機の化学剤であり、各種の公知の方法によって充填カラム21cに適用される。基材との反応によって、触媒27は充填カラム21cに不動化される。
【００３１】
１具体例では、充填カラム21cは、ランダム又は構造化充填された小さい固形付形物で構成された床又は一連の床であり、この上を、液及び蒸気が向流式に流動する。他の具体例では、触媒含有吸収剤溶液31は酵素も含有し、酵素も充填カラム21cに不動化される。触媒の少なくとも一部はリッチ吸収剤溶液26と一緒に移動する。
【００３２】
他の具体例では、図2Aに示すように、触媒27は、吸収器20の内部部分20aの区域に存在する。詳述すれば、触媒27は、吸収器20の内部部分20aに存在する充填カラム21cの少なくとも１区域に不動化されている（上述のように）。１具体例では、充填カラム21cにおける触媒27の密度は、例えば、０.５−２０ピコモル/cm2の範囲である。他の具体例では、充填カラム21cにおける触媒27の密度は、例えば、０.５−１０ピコモル/cm2の範囲である。触媒27は、吸収剤溶液中に存在するアミン化合物及び／又はアンモニアと共に、プロセスストリーム22から酸性成分を吸収し、これによって、除去して、リッチ吸収剤溶液26を形成する。この具体例では、触媒27は、リッチ吸収剤溶液26と一緒に、システム10の他の位置には移動しない。
【００３３】
図１−2Aに示すように、プロセスストリーム22から酸性成分の一部を吸収するために触媒27を使用するか又はしないかにかかわらず、リッチ吸収剤溶液26は、吸収器20の下方区域21aに落下し、ここで、更なる処理のため除去され、一方、酸性成分の量が低減されたプロセスストリーム22は、吸収器20を通過し、出口28aを介して、上方区域21bから酸性成分減少ストリーム28として排出される。１具体例では、酸性成分減少ストリーム28は、例えば、４９−９３℃の範囲の温度を有する。１具体例では、酸性成分減少ストリーム28中に存在する酸性成分の濃度は、例えば、約０−１５モル％の範囲内である。１具体例では、酸性成分減少ストリーム中に存在する二酸化炭素の濃度は、例えば、約０−１５モル％の範囲内である。
【００３４】
再度図１を参照すると、リッチ吸収剤溶液26は、一般的に34で示される再生システムに到達する以前に、約２４−160 psiの圧力でポンプ30を通って、熱交換器32に進行する。再生システム34は、内部部分34b、入口34c、及び再生器34aに流動的に結合されたリボイラー34dを有する再生器34aを包含する（これに限定されない）。ここで使用するように、用語「流動的に結合された」とは、例えば、パイプ、導管、コンベヤー、ワイヤ等によって、装置が、例えば、直接的に（２つの装置の間に介在物なし）又は間接的に（２つの装置の間に介在物あり）、他の装置と連通又は結合されていることを意味する。
【００３５】
再生器（「ストリッパー」とも呼ばれる）34aは、リッチ吸収剤溶液26を再生して、リーン吸収剤溶液及び／又はセミ−リーン吸収剤溶液36の１つを形成する。後述する１具体例では、再生器34aにおいて再生されたリーン及び／又はセミ−リーン吸収剤溶液36を吸収器20に供給する。
【００３６】
さらに図１を参照すると、リッチ吸収剤溶液26は、再生器34aの中央位置Ｂに位置する入口34cで再生器34aに入る。しかし、リッチ吸収剤溶液26は、リッチ吸収剤溶液26の再生を容易なものとする各種の位置で再生器34aに入ることができ、例えば、入口34cを再生器34aのいかなる位置にも設置できる。
【００３７】
再生器34aに入った後、リッチ吸収剤溶液26は、リボイラー34dによって生成されたスチーム40の対向流と相互作用（接触）する。１具体例によれば、再生器34aは、例えば、約２４−160 psiの範囲の圧力を有しており、例えば、約３８−204℃の温度範囲、特に、例えば、約９３−193℃の温度範囲で作動される。
【００３８】
再生器34aでは、スチーム40はリッチ吸収剤溶液26を再生し、これによって、酸性成分リッチのストリーム44と共に、リーン吸収剤溶液及び／又はセミ−リーン吸収剤溶液36を生成する。リーン吸収剤溶液及び／又はセミ−リーン吸収剤溶液36の少なくとも一部は、上述のように、プロセスストリーム22からの酸性成分の更なる吸収及び除去のために吸収器20に移動される。
【００３９】
１具体例では、再生システム34も触媒27を含む。リッチ吸収剤溶液26をスチーム40にて再生することに加えて、リッチ吸収剤溶液26は、触媒27にて酸性成分の少なくとも一部を吸収することによって再生される。上述のように、触媒27は、上述の１以上の酵素（図示していない）と組み合わせても使用される。
【００４０】
触媒27は、再生器34aの内部部分34bの少なくとも１区域内、リッチ吸収剤溶液26又はそれらの組み合わせ内に存在する。１具体例では、触媒27は、再生器34aに供給される吸収剤溶液内に存在する。リッチ吸収剤溶液26における触媒27の存在は、上述のように、吸収器20における触媒の存在又は吸収器20において利用される吸収剤溶液によるものである。１具体例では、触媒27は、例えば、約０.５−５０mg/Lの範囲の濃度で、リッチ吸収剤溶液26中に存在する。他の具体例では、触媒27は、例えば、約２−１５mg/Lの範囲の濃度、例えば、約０.１−５lb/lbの液／ガス（L/G）比で、リッチ吸収剤溶液26中に存在する。
【００４１】
他の具体例では、図３に示すように、触媒27は、リッチ吸収剤溶液26を、触媒容器29を通過させることによって、触媒含有リッチ吸収剤溶液33を形成することによって、リッチ吸収剤溶液26に供給される。１具体例では、触媒27は、例えば、約０.５−５０mg/Lの範囲の濃度で、触媒含有リッチ吸収剤溶液33中に存在する。他の具体例では、触媒27は、例えば、約２−１５mg/Lの範囲の濃度、例えば、約０.１−５lb/lbの液／ガス（L/G）比で、触媒含有リッチ吸収剤溶液33中に存在する。
【００４２】
１具体例では、触媒含有リッチ吸収剤溶液33は、入口34cを介して、再生器34aの内部部分34bに供給される。図3では、入口34cが、再生器34aの上方区域35b内に位置するよう示されているが、入口34cは再生器34aのいずれの位置にも配置されるものである。触媒含有リッチ吸収剤溶液33が再生器34aの内部部分34bに供給されると、吸収剤溶液はスチーム40と作用して、再生し、リーン又はセミ−リーン吸収剤溶液36を提供する。触媒及び酸性成分が存在する触媒含有リッチ吸収剤溶液33とスチーム40との相互作用の結果、酸性成分の吸収が生ずる。酸性成分および触媒27及びスチーム40の相互作用の後、リーン又はセミ−リーン吸収剤溶液36が生成する。
【００４３】
他の具体例では、図3Aに示すように、触媒27は、再生器34aの内部部分34bの区域に存在する。詳述すれば、触媒27は、再生器34aの内部部分34bに存在する充填カラム34eの少なくとも１区域に不動化されている。１具体例では、充填カラム34eにおける触媒27の密度は、例えば、０.５−２０ピコモル/cm2の範囲である。他の具体例では、充填カラム34eにおける触媒27の密度は、例えば、０.５−１０ピコモル/cm2の範囲である。触媒27は、再生器34aに供給されたリッチ吸収剤溶液26から酸性成分を吸収して、リーン及び／又はセミ−リーン吸収剤溶液36を形成する。触媒27は、リッチ吸収剤溶液26及び再生器34aの内部部分34bの区域の両方に存在できる。
【００４４】
システム10は、吸収器20において使用される第１の触媒及び再生器34aにおいて使用される第２の触媒の両方として触媒27を包含する。システム10は、再生器34aで使用される触媒を使用することなく、吸収器20で使用される触媒27のみを使用することもできる。さらに、システム10は、再生器34aのみで触媒27を使用することができる。
【００４５】
再度図1を参照すると、再生システム34において触媒27を使用するか否かにかかわらず、１具体例では、リーン吸収剤溶液及び／又はセミ−リーン吸収剤溶液36は、吸収器20に入る前に、一連の処理を受ける。１具体例では、図１に示すように、リーン吸収剤溶液及び／又はセミ−リーン吸収剤溶液36は、入口48を介して吸収器20に入る前に、熱交換器32及び熱交換器46を通過する。リーン吸収剤溶液及び／又はセミ−リーン吸収剤溶液36は、例えば、熱交換器46（熱を熱移動流体、例えば、熱移動流体60に移動させる）を通過されることによって冷却される。上述のように、熱移動流体60は、その熱を利用し、例えば、生成されるエネルギーを節約及び／又は再利用することによってシステム10の効率を改善するために、システム10内の他の部位に移動される。
【００４６】
リーン吸収剤溶液及び／又はセミ−リーン吸収剤溶液36は、吸収器20に入る前に、例えば、ポンプ、弁等の他の装置又は機構を通過する。図1では、入口48はプロセスストリーム入口24の下方の位置にあるが、入口48は吸収器20のいかなる位置にも設置される。
【００４７】
酸性成分リッチストリーム44について、図1では、酸性成分リッチストリーム44は再生器34aから排出され、一般的に50で示される圧縮システムを通過する。１具体例では、圧縮システム50は、ミキサー57と共に、1以上の凝縮器52及びフラッシュ冷却器54、1以上のコンプレッサー56を包含する。圧縮システム50は、酸性成分リッチストリーム44の凝縮、冷却及び圧縮を容易に行い、他の用途又は保存のための酸性成分ストリーム70を生成するものである。１具体例では、第1のフラッシュ冷却器54における温度は、例えば、約３８−６６℃の範囲であり、圧力低下は、例えば、約５−１０psiの範囲である。酸性成分リッチストリーム44を、第１のフラッシュ冷却器54から第１のコンプレッサー56に移し、ここで、例えば、490 psiで圧縮し、ついで、第２のフラッシュ冷却器54において、例えば、約３８−６６℃の範囲の温度に冷却する。酸性成分リッチストリーム44を、第３のフラッシュ冷却器54において、例えば、約３８−６６℃の範囲の温度に冷却し、圧力低下は、例えば、約５−１０psiである。
【００４８】
図１では、圧縮システム50は特別な装置及び機構を有しているが、圧縮システム50は、システム10が利用される用途にとって有用な各種の態様で設定される。また、システム10は圧縮システム50を含まなくてもよく、代わりに、酸性成分リッチストリーム44を他の用途のために保存するものであってもよい。
【００４９】
図１に示す１具体例では、凝縮器52及び／又はフラッシュ冷却器54からの熱移動流体60は、上述のように、リッチ吸収剤溶液26の再生において利用されるように、リボイラー34dに移動される。
【００５０】
１具体例では、リッチ吸収剤溶液26を再生するためのスチーム40を生成するために、リボイラーは、システム10の熱交換器において熱移動流体60に移された熱（エネルギー）を利用できる。熱移動流体に移された熱の利用は、リボイラー34dを駆動し、これによって、スチーム40を生成するために外部源からの使用が要求されるエネルギーの量を低減又は排除する。リボイラー34dを駆動するために使用される外部エネルギー量を低減又は排除することによって、システム10にかかる、例えば、労働力、費用、時間、電力のような資源をより有効に使用でき、例えば、低減できる。
【００５１】
図１に示されるように、１具体例では、酸性成分が低減されたストリーム28を吸収器20から排出し、熱交換器58に提供する。熱交換器58は、吸収器20に流動的に結合されているため、酸性成分が低減されたストリーム28を受け入れる。１具体例では、酸性成分が低減されたストリーム28は、例えば、約５４−９３℃の範囲の温度を有する。他の具体例では、酸性成分が低減されたストリーム28は、例えば、約４９−７１℃の範囲の温度を有する。他の具体例では、酸性成分が低減されたストリーム28は、例えば、約５４−７１℃の範囲の温度を有する。酸性成分が低減されたストリーム28から取り出される熱（エネルギー）は、酸性成分が低減されたストリーム28を、熱交換器58を通過させることによって、熱移動流体60に移される。１具体例では、熱移動流体60は、例えば、ボイラー供給水又は熱交換器において使用される各種の他の流体又は化学剤である。例えば、１具体例では、熱移動流体60をリボイラー34dに供給することによって、リッチ吸収剤溶液26を再生するために熱移動流体60を使用できる。
【００５２】
１具体例では、熱交換器58を、熱移動流体60のリボイラー34dへの移動を容易なものとする機構60aに流動的に結合する。１具体例では、機構60aは、導管、配管、コンベヤー等を含む（これらに限定されない）、熱移動流体60のリボイラー34dへの移動を容易なものとする各種の機構である。
【００５３】
１具体例では、熱交換器58は、吸収器20の内部位置（図示していない）に配置される。例えば、熱交換器58は、吸収器20の内部部分20a内の位置に配置される。１具体例では、熱交換器58は、吸収器20の下方区域21a、吸収器20の上方区域21b、又はその組み合わせから選ばれる位置にある。
【００５４】
他の具体例では、複数個の熱交換器58が吸収器20の内部部分20a内に配置される（図示していない）。例えば、３個の熱交換器58が吸収器20内に配置され、例えば、第１の熱交換器が吸収器20の下方区域21aに配置され、第２の熱交換器が、熱交換器58の一部が吸収器20の下方区域21a内にあり、熱交換器58の少なくとも一部が吸収器20の上方区域21b内にあるように配置され、及び第３の熱交換器が吸収器20の上方区域21bに配置される。各種の数の熱交換器58を吸収器20に設置できる。
【００５５】
１具体例では、各熱交換器58は、熱移動流体60を移動させ、これによって、熱移動流体60を吸収剤溶液26の再生に利用するように、機構60aに流動的に結合される。上述のように、機構60aは、熱交換器58からリボイラー34dへの熱移動流体60の移動を容易なものとする。
【００５６】
１具体例では、吸収器20は、例えば、吸収器の外部位置における少なくとも１つの熱交換器58と共に、吸収器20の内部部分20aにおける１以上の熱交換器58を包含できる（図示していない）。例えば、熱交換器58の１つが吸収器20の内部部分20aにあり、プロセスストリームを受け取る。他の具体例では、複数個の熱交換器58が吸収器20の内部部分20aに存在できる（図示していない）。いずれの例においても、吸収器20は、外部に配置された熱交換器58に流動的に結合されている。外部に配置された熱交換器58は、流動的に結合する吸収器20から、酸性成分が低減された吸収剤溶液28の吸収器20からの排出部位において、酸性成分が低減された吸収剤溶液28を受け取る。各種の数の熱交換器を、吸収器の内部及び外部に、吸収器20に流動的に結合できる。
【００５７】
他の具体例では、熱交換器58は外部的に吸収器20に設置され、吸収器20からプロセスストリーム22を受け取る。１以上の熱交換器を外部的に吸収器に設置し、プロセスストリーム22又はその一部を受け取るようにしてもよい。
【００５８】
リッチ吸収剤溶液を再生するためにリボイラー34d（図１）によって要求される、又はシステム10の外部の源によってリボイラー34dに付与されるエネルギー量が、熱移動流体60によってリボイラー34dに移動される上述の熱によって置き換えられる又は低減されることは評価されなければならない。ここに記載するように、熱移動流体60は、システム10で利用される熱交換器の1以上（例えば、熱交換器23、32、46、58）からリボイラー34dに移動される。
【００５９】
１具体例では、吸収器20の外部位置に配置された熱交換器を介して、酸性成分が低減されたストリーム28から熱移動流体60に移される熱は、例えば、リボイラーの負荷の約１０−５０％である。１具体例では、吸収器20の内部部分20aにある唯１つの熱交換器58を介して移される熱は、例えば、リボイラーの負荷の約１０−３０％であり、吸収器20の内部に１以上の熱交換器が配置され、各熱交換器58が、例えば、リボイラーの負荷の約１−２０％、さらに詳しくは、リボイラーの負荷の約５−１５％を提供し、蓄積熱移動、すなわち、熱交換器58全体からの熱移動が、例えば、リボイラーの負荷の約１−５０％を提供する場合に匹敵する。
【００６０】
吸収器20の内部部分20aに配置された少なくとも１つの熱交換器58を包含し、少なくとも１つの熱交換器58において、外部から吸収器20に流動的に結合された酸性成分が低減されたストリーム28を受け取るシステム10において、リボイラー34dに移動される熱は、例えば、リボイラーの負荷の約１−５０％を提供し、さらに詳しくは、例えば、リボイラーの負荷の約５−４０％を提供する。
【００６１】
プロセスストリーム22を受け取り、吸収器20の外部位置において流動的に結合されている少なくとも１つの熱交換器58を包含するシステム10において、リボイラー34dに移動される熱は、例えば、リボイラーの負荷の約１−５０％を提供し、さらに詳しくは、例えば、リボイラーの負荷の約１０−３０％を提供する。１以上の熱交換器が吸収器20の外部位置において流動的に結合される場合には、各熱交換器58においてプロセスストリーム22から熱移動流体60に移動される熱は、例えば、リボイラーの負荷の約１−２０％を提供し、さらに詳しくは、例えば、リボイラーの負荷の約５−１５％を提供し、蓄積熱移動、すなわち、熱交換器62全体からの熱移動はリボイラーの負荷の約１−５０％を提供する。
【００６２】
例えば、酸性成分が低減されたストリーム28を受け取る熱交換器58と共に、プロセスストリーム22を受け取り、吸収器の外部位置に配置された少なくとも１つの熱交換器からの熱を含むシステム10内で移動される熱は、例えば、リボイラーの負荷の約１−５０％を提供し、さらに詳しくは、例えば、リボイラーの負荷の約５−４０％を提供する。
【００６３】
熱移動流体60を介して１以上の凝縮器52からリボイラー34dに移動される熱は、例えば、リボイラーの負荷の約１０−６０％を提供する。他の具体例では、１以上の凝縮器52から移動される熱は、例えば、リボイラーの負荷の約１０−５０％を提供する。
【００６４】
熱移動流体60を介してフラッシュ冷却器54からリボイラー34dに移動される熱は、例えば、リボイラーの負荷の約１−１０％を提供できる。他の具体例では、各フラッシュ冷却器54から移動される熱は、例えば、リボイラーの負荷の約１−５％を提供する。
【００６５】
コンプレッサー56からの熱もリボイラー34dに移動される。
【００６６】
上述のシステム10によってプロセスストリーム22から、例えば、二酸化炭素のような酸性成分を吸収する方法は、プロセスストリーム22を吸収器20に供給することを包含する。吸収器20の内部部分20aにおいて、プロセスストリーム22は吸収器20に供給される吸収剤溶液と相互作用する。
【００６７】
１以上の具体例では、吸収剤溶液は、リーン及び／又はセミ−リーン吸収剤溶液36である。他の具体例では、吸収剤溶液は補充吸収剤溶液25である。他の具体例では、吸収剤溶液は、補充吸収剤溶液25及びリーン及び／又はセミ−リーン吸収剤溶液36である。１具体例では、吸収剤溶液は、アミン化合物、アンモニア、又はその組み合わせを含み、これらはプロセスストリーム22からの酸性成分の吸収を容易なものとする。
【００６８】
１具体例では、吸収器20の内部部分20aの少なくとも１区域、吸収剤溶液、又はその組み合わせに、触媒27が供給される。触媒27は、例えば、補充吸収剤溶液25及びリーン及び／又はセミ−リーン吸収剤溶液36のいずれか又は両方が吸収器20に供給される前に、補充吸収剤溶液25及びリーン及び／又はセミ−リーン吸収剤溶液36のいずれか又は両方を、例えば、触媒容器29を通過させることによって供給される。他の具体例では、触媒27は、例えば、上述のように、触媒27を充填カラム21cに不動化させることによって、吸収器20の内部部分21aに供給される。
【００６９】
プロセスストリーム22内に存在する酸性成分は、吸収剤溶液（例えば、補充吸収剤溶液25及びリーン及び／又はセミ−リーン吸収剤溶液36のいずれか又は両方）と相互作用する。相互作用は化学反応を容易なものとし、酸性成分を吸収して、リッチ吸収剤溶液26及び酸性成分が低減されたストリーム28を生成する。
【００７０】
上述のように、リッチ吸収剤溶液26は再生器34aに提供される。再生器34aには触媒27が供給されうる。触媒27は、例えば、リッチ吸収剤溶液26を、触媒容器29を通過させることによって、又は再生器34aの内部部分34bの1区域に触媒を不動化することによって再生器34aに提供される。
【００７１】
ここに記載のシステム及び方法の非限定的な例を以下に示す。他に特定しない限り、温度は摂氏（℃）であり及び百分率はモル％である。
【実施例】
【００７２】
実施例１：触媒を使用しない場合のリボイラーのエネルギー
上述のように、１具体例において、プロセスストリーム22を吸収器20に供給した。吸収器20において、プロセスストリーム22は、例えば、モノエタノールアミンのようなアミン化合物を含有する吸収剤溶液と相互作用して、例えば、約１３モル％の二酸化炭素を含有し、例えば、約149℃の温度を有する酸性成分が低減されたストリーム28及びリッチ吸収剤溶液26を生成した。リッチ吸収剤溶液26を、例えば、約155 psiの圧力で作動する再生器34aに供給した。
【００７３】
実施例２：吸収剤溶液中で触媒を使用した場合のリボイラーのエネルギー
プロセスストリーム22を吸収器20に供給した。吸収器20において、プロセスストリーム22は、例えば、モノエタノールアミンのようなアミン化合物を含有する吸収剤溶液と相互作用して、例えば、約１３モル％の二酸化炭素を含有し、例えば、約149℃の温度を有する酸性成分が低減されたストリーム28及びリッチ吸収剤溶液26を生成した。触媒、例えば、炭酸アンヒドラーゼを吸収剤溶液に添加した。吸収剤溶液は、例えば、約３mg/mlの触媒濃度を有する。リッチ吸収剤溶液26を、例えば、約155 psiの圧力で作動する再生器34aに供給した。
【００７４】
実施例３：吸収器の充填カラムに不動化した触媒を使用した場合のリボイラーのエネルギー
プロセスストリーム22を吸収器20に供給した。吸収器20において、プロセスストリーム22は、例えば、モノエタノールアミンのようなアミン化合物を含有する吸収剤溶液と相互作用して、例えば、約１３モル％の二酸化炭素を含有し、例えば、約149℃の温度を有する酸性成分が低減されたストリーム28及びリッチ吸収剤溶液26を生成した。触媒、例えば、炭酸アンヒドラーゼを、例えば、約２ピコモル/cm2の濃度で、吸収器20の充填カラム21cに不動化させた。リッチ吸収剤溶液26を、例えば、約155 psiの圧力で作動する再生器34aに供給した。
【００７５】
実施例１、２、３における他のエネルギー要求量及びパラメーターと共に、リボイラーの負荷を表１に示す。
【表１】
2011506080.tif 000003
【００７６】
他の指示しない限り、ここに記載する全ての範囲は、上限及び下限及び中間の全ての値において包括的かつ合体できるものである。用語「第１」、「第２」等は、順序、量、又重要性を表わすものではなく、むしろ、１つの要素を他の要素から区別するために使用している。「約」を伴う全ての数値は、他に指示しない限り、正確な数値の包括的なものである。
【００７７】
本発明を各種の例示的具体例を参照して記述したが、本発明の精神を逸脱することなく、多くの変形が加えられること及びその要素を均等物によって置換できることは、当業者によって理解されるであろう。さらに、その必須の範囲を逸脱することなく、本発明の教示に特別な状況又は物質を適合するように多くの変更をなすことができる。従って、本発明は、本発明を実施するための最良の形態として開示した特別の具体例に限定されず、本発明は、特許請求の範囲内に属する全ての具体例を包含するものである。
【図１】
2011506080.tif 000004
【図２】
2011506080.tif 000005
【図２Ａ】
2011506080.tif 000006
【図３】
2011506080.tif 000007
【図３Ａ】
2011506080.tif 000008
【手続補正書】
【提出日】平成22年10月6日(2010.10.6)
【手続補正１】
【補正対象書類名】特許請求の範囲
【補正対象項目名】全文
【補正方法】変更
【補正の内容】
【特許請求の範囲】
【請求項１】
化石燃料の燃焼によって発生された燃焼ガスストリームから酸性成分を吸収するためのシステムであって、該システムは、
化石燃料の燃焼によって発生された燃焼ガスストリームであって、酸性成分を含んでなる燃焼ガスストリーム；
前記プロセスストリームから前記酸性成分の少なくとも一部を吸収するリーン吸収剤溶液であって、アミン化合物又はアンモニアを含んでなるリーン吸収剤溶液；
内部部分を含んでなる吸収器であって、前記吸収器の内部部分において、前記リーン吸収剤溶液が前記プロセスストリームと接触して、リッチ吸収剤溶液を提供する吸収器；
前記リッチ吸収剤溶液を再生して、前記リーン吸収剤溶液を形成するよう設定された再生システムであって、内部部分を有する再生器、前記再生器に前記リッチ吸収剤を供給するための入口、及び流動的に結合されたリボイラーであって、リッチ吸収剤溶液を再生するために、スチームを前記再生器に提供するリボイラーを含んでなる再生システム；及び
前記プロセスストリームから前記酸性成分の少なくとも一部を吸収するための触媒であって、前記吸収器の内部部分の区域、前記再生器の内部部分の区域、前記リーン吸収剤溶液、前記リッチ吸収剤溶液、又はその組み合わせの少なくとも１つに存在する触媒
を含んでなる、システム。
【請求項２】
酸性成分が二酸化炭素である、請求項１記載のシステム。
【請求項３】
吸収剤溶液がアミン化合物を含んでなり、前記アミン化合物が、モノエタノールアミン（MEA）、ジエタノールアミン（DEA）、ジイソプロパノールアミン（DIPA）、Ｎ-メチルエタノールアミン、トリエタノールアミン（TEA）、Ｎ-メチルジエタノールアミン（MDEA）、ピペラジン、Ｎ-メチルピペラジン（MP）、Ｎ-ヒドロキシエチルピペラジン（HEP）、２-アミノ-２-メチル-１-プロパノール（AMP）、２-(２-アミノエトキシ)エタノール、２-(２-tert-ブチルアミノプロポキシ)エタノール、２-(２-tert-ブチルアミノエトキシ)エタノール（TBEE）、２-(２-tert-アミルアミノエトキシ)エタノール、２-(２-イソプロピルアミノプロポキシ)エタノール、２-(２-(１-メチル-１-エチルプロピルアミノ)エトキ)シエタノールからなる群から選ばれるものである、請求項１記載のシステム。
【請求項４】
吸収剤溶液がアンモニアを含んでなるものである、請求項１記載のシステム。
【請求項５】
触媒が、ゼオライト系触媒、遷移金属系触媒又はその組み合わせから選ばれるものである、請求項１記載のシステム。
【請求項６】
触媒を少なくとも１の酵素と組み合わせて使用し、前記少なくとも１の酵素が、α、β、γ、δ及びεクラスの炭酸アンヒドラーゼ、サイトゾル炭酸アンヒドラーゼ、CA2、CA3、ミトコンドリア炭酸アンヒドラーゼ、及びその組み合わせから選ばれるものである、請求項１記載のシステム。
【請求項７】
触媒が炭酸アンヒドラーゼを含むものである、請求項１記載のシステム。
【請求項８】
触媒が吸収剤溶液に存在しており、前記触媒が０.５−５０mg/Lの濃度で存在する、請求項７記載のシステム。
【請求項９】
触媒が２−１５mg/Lの濃度で存在する、請求項８記載のシステム。
【請求項１０】
触媒が吸収器の内部部分の少なくとも１区域に存在しており、触媒が０.５−２０ピコモル/cm2の密度を有する、請求項７記載のシステム。
【請求項１１】
触媒の密度が０.５−１０ピコモル/cm2である、請求項１０記載のシステム。
【請求項１２】
触媒が、吸収器の内部部分の区域及び吸収剤溶液に存在する、請求項１記載のシステム。
【請求項１３】
触媒が、さらに、再生器の内部部分の区域に存在する、請求項１２記載のシステム。
【請求項１４】
化石燃料の燃焼によって発生された燃焼ガスストリームから二酸化炭素を吸収する方法であって、該方法は、
化石燃料の燃焼によって、二酸化炭素を含んでなる燃焼ガスストリームを発生させ；
二酸化炭素を含んでなる前記燃焼ガスストリームを吸収器に供給し、ここで、前記吸収器は内部部分を含んでなり；
吸収剤溶液を前記吸収器に供給し、ここで、前記吸収剤溶液は、アミン化合物、アンモニア、又はその組み合わせを含んでなり；
触媒を、前記吸収器の内部部分の区域、前記吸収剤溶液、又はその組み合わせの少なくとも１つに供給し；及び
前記プロセスストリームを前記吸収剤溶液及び前記触媒と接触させ、これによって、前記プロセスストリームから二酸化炭素の少なくとも一部を吸収し、リッチ吸収剤溶液を生成する
ことを含んでなる、方法。
【請求項１５】
触媒が、吸収器の内部部分の１区域及び吸収剤溶液に存在する、請求項１４記載の方法。
【請求項１６】
吸収剤溶液が、モノエタノールアミン（MEA）、ジエタノールアミン（DEA）、ジイソプロパノールアミン（DIPA）、Ｎ-メチルエタノールアミン、トリエタノールアミン（TEA）、Ｎ-メチルジエタノールアミン（MDEA）、ピペラジン、Ｎ-メチルピペラジン（MP）、Ｎ-ヒドロキシエチルピペラジン（HEP）、２-アミノ-２-メチル-１-プロパノール（AMP）、２-(２-アミノエトキシ)エタノール、２-(２-tert-ブチルアミノプロポキシ)エタノール、２-(２-tert-ブチルアミノエトキシ)エタノール（TBEE）、２-(２-tert-アミルアミノエトキシ)エタノール、２-(２-イソプロピルアミノプロポキシ)エタノール、２-(２-(１-メチル-１-エチルプロピルアミノ)エトキ)シエタノールからなる群から選ばれるアミン化合物を含んでなるものである、請求項１４記載の方法。
【請求項１７】
触媒を少なくとも１の酵素と組み合わせて使用し、前記少なくとも１の酵素が、α、β、γ、δ及びεクラスの炭酸アンヒドラーゼ、サイトゾル炭酸アンヒドラーゼ、CA2、CA3、ミトコンドリア炭酸アンヒドラーゼ、及びその組み合わせから選ばれるものである、請求項１４記載の方法。
【請求項１８】
触媒が炭酸アンヒドラーゼを含むものである、請求項１４記載の方法。
【請求項１９】
触媒が吸収剤溶液に存在しており、前記触媒が０.５−５０mg/Lの濃度で存在する、請求項１８記載の方法。
【請求項２０】
触媒が２−１５mg/Lの濃度で存在する、請求項１９記載の方法。
【請求項２１】
触媒が吸収器の内部部分の少なくとも１区域に存在しており、触媒が０.５−２０ピコモル/cm2の密度を有する、請求項１８記載の方法。
【請求項２２】
触媒の密度が０.５−１０ピコモル/cm2である、請求項２１記載の方法。
【請求項２３】
触媒が、ゼオライト系触媒、遷移金属系触媒、又はその組み合わせから選ばれるものである、請求項１４記載の方法。
【請求項２４】
さらに、吸収器に流動的に結合された再生器にリッチ吸収剤溶液を提供することを含んでなり、前記再生器が内部部分を有するものであり、触媒が、さらに、前記再生器の内部部分の区域に存在する、請求項１４記載の方法。
【国際調査報告】
2011506080.tif 000009
2011506080.tif 000010
2011506080.tif 000011